Podtech/llm-jp-corpus-v4-ja_patent huggingface dataset:
【事件の表示】
　特許第５６１１６０３号に関する訂正審判事件について、次のとおり審決する。
【結　論】
　特許第５６１１６０３号に係る明細書及び特許請求の範囲を本件審判請求書に添付された訂正明細書及び特許請求の範囲のとおり訂正することを認める。
【理　由】
第１　手続の経緯
　本件特許第５６１１６０３号は、平成２２年１月１３日の出願であって、平成２６年９月１２日に設定登録され、平成２７年４月９日に訂正審判の請求がなされたものである。
　
第２　請求の趣旨及び訂正の内容
　本件審判の請求の趣旨は、特許第５６１１６０３号の明細書及び特許請求の範囲を審判請求書に添付した訂正明細書及び特許請求の範囲のとおり訂正することを求めるものであって、その訂正事項は、次のとおりである。
　なお、明細書の訂正のみであり、特許請求の範囲自体の訂正は求めていない。
　
訂正事項
　本件特許明細書の段落【００４１】における「製造原料としては、ケラチンを構成蛋白質として含む羊毛（メリノ種羊毛、リンカーン種羊毛等）、人毛、獣毛、羽毛、爪などが挙げられる。」を「製造原料としては、ケラチンを構成蛋白質として含む羊毛（メリノ種羊毛、リンカーン種羊毛等）が挙げられる。」と訂正する。
　
第３　当審の判断
１　訂正の目的について
　上記訂正事項は、本件特許明細書の段落【００４１】の製造原料の記載について、請求項１及び請求項５の「製造原料として羊毛が使用され」との記載に整合させるため、羊毛以外の製造原料である「人毛、獣毛、羽毛、爪など」を削除する訂正であるから、特許法第１２６条第１項ただし書第３号に規定する明瞭でない記載の釈明を目的とするものである。
　
２　新規事項の追加について
　上記訂正事項は、本件特許明細書中の記載を本件特許請求の範囲の記載に整合させるものであり、願書に添付した明細書等の全ての記載を統合することにより導かれる技術的事項との関係において新たな技術的事項を導入するものでない。
　したがって、上記訂正事項は、願書に添付した明細書等に記載した事項の範囲内においてしたものであるから、特許法第１２６条第５項に規定する要件に適合するものである。
　
３　特許請求の範囲の実質拡張又は変更について
　上記訂正事項は、本件特許明細書中の記載を、特許請求の範囲の記載に整合させるためのものであり、本件特許請求の範囲を訂正するものではない。そして、この訂正が、本件特許請求の範囲を変化させるものでないことも明らかである。
　したがって、上記訂正事項は、実質上特許請求の範囲を拡張し、又は変更するものには該当せず、特許法第１２６条第６項に規定する要件に適合するものである。
　
第４　むすび
　以上のとおりであるから、本件訂正審判の請求に係る訂正は、特許法第１２６条第１項ただし書第３号に掲げる事項を目的とし、かつ、同条第５項及び第６項の規定に適合する。
　よって、結論のとおり審決する。
【事件の表示】
　特願２０１１−１０６５３１「コバルト、ニッケル、珪素を含む銅合金」拒絶査定不服審判事件〔平成２３年　８月１８日出願公開、特開２０１１−１５７６３０〕について、次のとおり審決する。
【結　論】
　本件審判の請求は、成り立たない。
【理　由】
　本願は、平成１５年　７月　１日（パリ条約による優先権主張　２００２年　７月　５日　（ＵＳ）アメリカ合衆国）に出願した特願２０１１−１０６５３１号の一部を平成２３年　５月１１日に新たな特許出願としたものであって、「コバルト、ニッケル、珪素を含む銅合金」に関するものと認める。
　これに対して、平成２６年　８月２１日付けで、本願は、その発明の詳細な説明の記載が不備で特許法第３６条第４項第１号に規定する要件を満たしていない旨の拒絶理由を通知し、期間を指定して意見書を提出する機会を与えたが、請求人からは何らの応答もない。
　そして、上記の拒絶理由は妥当なものと認められるから、依然として上記の拒絶理由で指摘した不備の点は解消していない。
　したがって、本願は、上記の拒絶理由によって拒絶すべきものである。
　よって、結論のとおり審決する。
(57)【要約】【課題】プリントボードと端子の接続は、従来ははんだを使用することが多いが、はんだは環境に良くないためはんだレスとしたいが、安価で振動に対する信頼性がある工法が無い。【解決手段】通常プリントボードと端子をはんだ付けする部位の形状を、エッジがかかるような形状に変更した。これにより安価で振動に対する信頼性を増すことができた。【選択図】図３
2012080051.tif 000002
【特許請求の範囲】
【請求項１】
プリントボードに穴などの凹、端子にＳＲ形状などの凸を設けた部品を、電気的導通を確保しつつ接続する工法。
【発明の詳細な説明】
【技術分野】
【０００１】  本発明は、プリントボードと端子の接続にはんだを使用しない工法に関する。
【背景技術】
【０００２】  従来のプリントボードと端子の接続には、はんだ付けされている方法が多い。【０００３】  しかし、はんだ付けは手間がかかる・設備投資が必要、何より環境に対してやさしくない工法である。【０００４】  市場にはカードエッジ方式を採用されている物もあるが、振動に対する弱さが懸念され、ネジ等の別部品にて留める方法になっている。【０００５】  また市場にはプレスフィット方式があるがこちらはプリントボードの穴をスルーホールにする必要があるため安価ではない。
【先行技術文献】
【発明の概要】
【発明が解決しようとする課題】
【０００６】  安価でネジ等の別部品を使わずに振動に強く、また環境にやさしいはんだレス工法が無い。【０００７】  本発明は上記のような問題を解決しようとするものであり、安価なはんだレス工法を実現することを目的とするものである。
【課題を解決するための手段】
【０００８】  プリントボードに穴を開け［図１］、端子に凸ＳＲを付ける。［図２］
プリントボードの穴はスルーホールではなく通常穴で良い。【０００９】  端子にプリントボードを挿入することにより、端子の弾性でプリントボードと端子が密着される。［図３］
【発明の効果】
【００１０】  穴とＳＲ部がエッジになり振動による抜けに対して信頼性ＵＰに期待できる。【００１１】  ネジ等の別部品が不要になる。
またネジ締めと比べ軽量・省スペース化にも期待ができ、プリントボードへスルーホールを要求しなくても良いようになる。
【図面の簡単な説明】
【００１２】
【図１】プリントボードに穴を開けた図
【図２】端子に凸ＳＲを付けた図
【図３】端子にプリントボードを挿入した図
【産業上の利用可能性】
【００１３】  プリントボードを使用する全産業に対応すると思われる。
特に車載用で小さなスペースしか確保できない部位に有効と考える。
【符号の説明】
【・・・・】
【受託番号】
【・・・・】
【図１】
2012080051.tif 000003
【図２】
2012080051.tif 000004
【図３】
2012080051.tif 000005
(57)【要約】【課題】  マウントアングルの取付穴に機器をネジによりナット部材を介して取り付ける構造において、ナット部材の装着数および取付穴の加工数を大幅に削減する。【解決手段】  １９インチラック内に立設したマウントアングル６に上下に長い取付穴８を形成する。取付穴８に弾性取付片１０を掛止し、ナット部材９をマウントアングル６に取外し可能に装着する。ナット部材９に複数のネジ穴１１を形成し、ネジ穴１１に螺合するネジによって機器をマウントアングル６に取り付ける。ネジ穴１１は、１９インチラックに規定された機器取付ピッチに相当する間隔でナット部材９に形成されている。【選択図】        図２
2012080031.tif 000002
【特許請求の範囲】
【請求項１】
ラック内に立設したマウントアングルに機器を取り付ける構造であって、
前記マウントアングルに上下に長い取付穴を形成し、取付穴にナット部材を着脱自在に装着し、ナット部材に複数のネジ穴を形成し、ネジ穴に螺合するネジによって機器をマウントアングルに取り付けることを特徴とする機器取付構造。
【請求項２】
前記複数のネジ穴を１９インチラックに規定された機器取付ピッチに相当する間隔でナット部材に形成した請求項１記載の機器取付構造。
【発明の詳細な説明】
【技術分野】
【０００１】
本発明は、ラック内に立設したマウントアングルにサーバー機器やＬＡＮ機器等の情報通信機器（以下、機器と略す）を取り付ける構造に関する。
【背景技術】
【０００２】
従来、１９インチラック内のマウントアングルに機器を前後にスライド可能に取り付ける構造が知られている。多数の機器を段積みできるように、通常、マウントアングルには、四角形または円形の機器取付穴が縦方向に多数列設されている。サーバー機器のみを収納するラックの場合、取付穴はすべて四角形に形成できる。しかし、取り付けにネジを使用する機器が混在する場合は、四角穴にケージナットを装着し、そのネジ穴にネジを締め付けている。
【０００３】
特許文献１には、ケージナットを用いて機器を取り付ける構造が記載されている。ここでは、図５に示すように、マウントアングル３１の裏面側からケージナット３２の弾性取付片３３をドライバ３４で四角穴３５に掛止し、機器一台当たり４個のケージナット３２をマウントアングル３１に装着する。そして、図６に示すように、機器３６の前面パネル３７をマウントアングル３１の表面に当て、ネジ３８をケージナット３２のネジ穴３９に締め付け、機器３６をマウントアングル３１に取り付ける。
【先行技術文献】
【特許文献】
【０００４】
【特許文献１】特開２００６−１９０７７２号公報
【発明の概要】
【発明が解決しようとする課題】
【０００５】
ところが、従来の取付構造によると、１９インチラックのマウントアングル３１に１ユニットの機器１台を取り付けるのに、４個のケージナット３２を装着する必要があり、たいへん手間がかかるという課題があった。また、四角穴３５をＥＩＡ規格の取付ピッチでマウントアングル３１に多数加工しなければならないという課題もあった。
【０００６】
本発明は、上記課題に着目してなされたものであり、その目的は、ナット部材の装着数および取付穴の加工数を大幅に削減できる機器取付構造を提供することにある。
【課題を解決するための手段】
【０００７】
上記課題を解決するために、本発明の機器取付構造は、ラック内に立設したマウントアングルに機器を取り付ける構造であって、マウントアングルに上下に長い取付穴を形成し、取付穴にナット部材を着脱自在に装着し、ナット部材に複数のネジ穴を形成し、ネジ穴に螺合するネジによって機器をマウントアングルに取り付けることを特徴とする。
【０００８】
また、本発明の機器取付構造は、１９インチラックに規定された機器取付ピッチに相当する間隔で、複数のネジ穴をナット部材に形成したことを特徴とする。
【発明の効果】
【０００９】
本発明の機器取付構造によれば、マウントアングルに上下に長い取付穴を形成するとともに、取付穴に複数のネジ穴を備えたナット部材を装着したので、ナット部材の装着数および取付穴の加工数を大幅に削減できるという効果がある。
【図面の簡単な説明】
【００１０】
【図１】本発明の一実施形態を示すキャビネットラックの斜視図である。
【図２】図１のＡ部をラックの内側から見た斜視図である。
【図３】図１のＡ部をラックの外側から見た斜視図である。
【図４】取付穴及びナット部材の変更例を示す斜視図である。
【図５】従来のケージナットを示す斜視図である。
【図６】従来の機器取付構造を示す斜視図である。
【発明を実施するための形態】
【００１１】
以下、本発明の実施形態を図面に基づいて説明する。図１に示すように、この実施形態のキャビネットラック１は縦長箱形のラックフレーム２を備えている。ラックフレーム２は、上枠３、下枠４、ポスト５、マウントアングル６からなり、４本のマウントアングル６に、それぞれ、機器７を取り付けるための複数の取付穴８が形成されれている。なお、ラックフレーム２の前面は扉（図示略）で覆われ、上面、下面、側面、背面がパネル（図示略）で覆われている。
【００１２】
図２及び図３に示すように、この実施形態の取付穴８は、従来の四角穴３５（図５参照）の３個分の長さで上下に長く形成されている。取付穴８には、それとほぼ同じ長さのナット部材９が着脱自在に取り付けられている。ナット部材９には、取付穴８の上端縁および下端縁に掛止される一対の弾性取付片１０が設けられるとともに、３つのネジ穴１１が形成されている。ネジ穴１１は、１９インチラックに規定された機器取付ピッチ（従来の四角穴３５と同じピッチ）に相当する間隔で形成されている。
【００１３】
機器７を取り付ける際には、まず、図２に示すように、ナット部材９をマウントアングル６の裏面側から取付穴８に装着する。次に、図３に示すように、機器７の前面パネル１２をマウントアングル６の表面に当て、前面パネル１２の長穴１３に挿通したネジ１４をナット部材９のネジ穴１１に締め付ける。こうすれば、一台の機器７を左右２つのナット部材９でマウントアングル６に取り付けることができる。この結果、従来と比較し、ナット部材９の装着数を半減し、取付穴８の加工数を３分の１に削減することができる。
【００１４】
なお、本発明は上記実施形態に限定されない。例えば、図４に示すように、ナット部材１６に６つのネジ穴１７を形成し、マウントアングル６にナット部材１６とほぼ同じ長さの取付穴１８を形成することで、ナット部材１６の装着数および取付穴１８の加工数をさらに削減することができる。その他、本発明の趣旨を逸脱しない範囲で、各部の構成や形状を適宜に変更して実施することも可能である。
【符号の説明】
【００１５】
１    キャビネットラック
６    マウントアングル
７    機器
８    取付穴
９    ナット部材
１１    ネジ穴
１４    ネジ
１６    ナット部材
１７    ネジ穴
１８    取付穴
【図１】
2012080031.tif 000003
【図２】
2012080031.tif 000004
【図３】
2012080031.tif 000005
【図４】
2012080031.tif 000006
【図５】
2012080031.tif 000007
【図６】
2012080031.tif 000008
(57)【要約】【課題】  洋のソースと和のしょうゆを混ぜ合わせた新型調味料で、混ぜ合わせた後の分離を抑えること、また、ソースとしょうゆの味のバランスおよび保存性の優れた調味料とする配合比率。【解決手段】  洋のソースと和のしょうゆは調味料として、製造方法も味も異質のものであるため，今まで混ぜ合わせることはなかった。混ぜ合わせた場合、ソースの種類によっては、分離してしまうため、ソースの選定は比重が類似する野菜、果実を主原料としたウスターソースを使用することとし、洋のソースと和のしょうゆを混ぜ合わせた後の分離を抑えることを可能にした。  また、しょうゆのグルタミン酸のうまみ成分と塩分による保存効果の優れた特性を活かし、しょうゆをベースの調味料にするため、しょうゆの配合比率を５５％から７５％とすることとした。これにより、ソースの味の強さを抑え、うまみ成分で融合するとともに、混ぜ合わせた後の塩分濃度を１０％以上にし、塩分による保存効果で長期の保存を可能にした。【特許請求の範囲】
【請求項１】
洋のソースと和のしょうゆを混ぜ合わせた、新型調味料であり、本発明における配合するソースの選定は、混ぜ合わせた後の分離を抑えるため、比重が類似する野菜、果実を主原料としたウスターソースを使用することを特徴とする調味料。
【請求項２】
洋のソースと和のしょうゆの配合比率は、それぞれの味のバランスおよび調味料の保存性から、しょうゆをベースの調味料にする必要があり、しょうゆの配合比率を５５％から７５％とし、混ぜ合わせた後の塩分濃度を１０％以上とする調味料。
【発明の詳細な説明】
【技術分野】
【０００１】  本考案の属する技術分野は、化学分野の発酵食品・醸造食品に関するもので、発酵食品・醸造食品の代表的な調味料であるしょうゆをベースに、洋式の料理に使用されるソースと和式の料理に使用されるしょうゆを融合させ、今までにない新型調味料を発明したものである。
【背景技術】
【０００２】  従来、ソースはホワイトソース、ブラウンソース、ベシャメルソース、トマトソース、ウスターソースなど洋式の料理に合わせて使用されている。ペースト状または液状の調味料であるが、固形物を含むものも多く使用されている。代表的なソースはトマト、たまねぎ、セロリなど野菜を醸造酢などで加工した調味料である。しょうゆは大豆と小麦に麹菌を使用して発酵させ、醸造した調味料である。最近しょうゆは海外でも多く使用されるようになってきているが、海外での和式の料理ブームによるもので、ソースは洋式の料理、しょうゆは和式の料理に使用するように古くからすみ分けされている。したがって、調味料としては製造方法も味も異質のもので、かけ間違えた時は、せっかくの料理の味を損なう結果となる。しかし、日本での洋式の料理の普及が進み、洋式と和式の両方の料理に献立されるものも出てきており、その場合は個人の今までの嗜好で選択される。ただし、洋式の料理にも対応し、和式の料理にも対応するソースとしょうゆを混ぜ合わせた調味料は今までに存在していない。
【発明の概要】
【発明が解決しようとする課題】
【０００３】  背景技術で述べたように、ソースとしょうゆは調味料としては製造方法も味も異質のものであるため，今まで混ぜ合わせることはなかったが、混ぜ合わせた場合、ソースの種類によっては、比重等が異なるため分離してしまい、食卓で調味料さしなどで使用する調味料としては問題点を有していた。【０００４】  また、しょうゆはグルタミン酸のうまみ成分と塩分による保存効果の優れた調味料である。ソースはトマト、たまねぎ、セロリなど野菜を醸造酢などで加工したものであり、味が強く、また保存料を添加しないと長期の保存は難しい調味料である。したがって、ソースとしょうゆを混ぜ合わせた場合、ソースの味の強さが全面にでるため、しょうゆの存在感が薄れること、更に保存料を添加しないと長期の保存は難しい問題点を有していた。
【課題を解決するための手段】
【０００５】  上記目的を達成するために、本発明におけるソースの選定は、比重が類似する野菜、果実を主原料としたウスターソースを使用することとし、洋のソースと和のしょうゆを混ぜ合わせた後の分離を抑えることを可能にしたものである。【０００６】  そして、上記目的を達成するために、しょうゆのグルタミン酸のうまみ成分と塩分による保存効果の優れた特性を活かし、しょうゆをベースの調味料にするため、しょうゆの配合比率を５５％から７５％とすることとした。これにより、ソースの味の強さを抑え、うまみ成分で融合するとともに、混ぜ合わせた後の塩分濃度を１０％以上にすることとし、塩分による保存効果で長期の保存を可能にしたものである。【０００７】  また、ソースの味の強さおよびしょうゆのうまみ成分が融合する、特別な配合比率で混ぜ合わせた新型調味料は、洋式および和式の料理に登場する「目玉焼き」、「ハム・ソーセージ」、「キャベツ」などにかけると最適な味を可能としたものである。
【発明の効果】
【０００８】  本発明は、上述の通り構成されているので、次に記載する効果を奏する。【０００９】  特許請求の範囲における請求項１の洋のソースと和のしょうゆを混ぜ合わせた、新型調味料であり、本発明における配合するソースの選定は、混ぜ合わせた後の分離を抑えるため、比重が類似する野菜、果実を主原料としたウスターソースを使用することを特徴とする調味料である。
この洋のソースと和のしょうゆを混ぜ合わせた、新型調味料では、確認した賞味期限の１．５年を経過しても分離しないものとなっている。【００１０】  特許請求の範囲における請求項２の洋のソースと和のしょうゆの配合比率は、それぞれの味のバランスおよび調味料の保存性から、しょうゆをベースの調味料にする必要があり、しょうゆの配合比率を５５％から７５％とし、混ぜ合わせた後の塩分濃度を１０％以上とする調味料である。
この洋のソースと和のしょうゆを混ぜ合わせた、新型調味料では、確認した賞味期限の１．５年を経過しても、ソースの味の強さを抑え、しょうゆのうまみ成分で融合した和洋融合の味を確保し、塩分による保存効果で長期の保存を可能にしたものとなっている。
(57)【要約】【課題】  鮎は幼魚期から成長するに従い草食性に移行するため、雑食性飼料では成長を促せても鮎独特の風味を保持する事は困難であった。【解決手段】  本発明は、青葉アルコールを主成分として、その他の植物性香料を複数ブレンドする車による着香剤で、鮎用の市販飼料に添加する事を特徴とする養殖鮎の飼料効率の改善と養殖鮎の食味向上方法に関する。  着香剤としての青葉様香気成分は青葉アルコールのほか青葉アルデヒド等が挙げられる。  これらの製造は公知の方法で行う事が出来る抽出物でも合成品でもよいが、好ましくは植物抽出由来の食品添加物が望ましい。  その他の植物性香気成分としてローレルリーフ油、ヒノキ油、ペパーミント油、レモン油、ジンジャー油でもよいが、望ましくは植物性抽出物の食品添加物が好ましく、これら香料を配合してなる着香剤である。【特許請求の範囲】
【請求項１】
養殖用の鮎飼料に青葉アルコールを含有する着香剤を飼料に添加してなる鮎の飼料効率促進方法。
【請求項２】
請求項１の青葉アルコール含有着香剤が鮎用飼料に添加する事を特徴とする鮎の風味向上方法。
【請求項３】
着香剤が青葉アルコールにローレルリーフ油、ヒノキ油、ペパーミント油、ジンジャー油、レモン油等の植物性香料を配合してなる着香剤。
【発明の詳細な説明】
【技術分野】
【０００１】  本発明は養殖鮎の飼料に青葉アルコール主剤とする着香剤を添加することにより鮎の嗜好性を向上させ、成長促進すると共に天然鮎が有する特有の風味を付与する方法に関する。
天然の鮎は流水を伴う川底の石や岩に着生する苔状植物を食性として成長する事が知られている。
【発明の概要】
【発明が解決しようとする課題】
【０００２】  養殖鮎の飼料は主要成分として魚粉やオキアミミール等の動物性蛋白質及び小麦粉等の植物性蛋白質であり、その他ビタミン類やミネラル成分から組成されている。特に、鮎は幼魚期から成長するに従い草食性に移行するため、雑食性飼料では成長を促せても鮎独特の風味を保持する事は困難であった。
【課題を解決するための手段】
【０００３】  本発明者らは、上記の目的を達成すべく鋭意研究を行った結果、鮎特有の好ましい食味を付与する主な要因は川海苔や水苔の香り成分にあることを突き止め、風味の改善向上する事を目的に本発明の完成に至った。
本発明は、植物性香料成分である青葉アルコールを主成分として、その他の植物性香料を複数ブレンドする事による着香剤で、鮎用の市販飼料に添加する事を特徴とする養殖鮎の飼料効率を改善すると共に養殖鮎の食味向上方法に関する。
着香剤としての青葉様香気成分は青葉アルコールのほか青葉アルデヒド等が挙げられる。
これらの製造は公知の方法で行う事が出来る抽出物でもよく、また合成品でもよいが、好ましくは植物抽出由来の食品添加物が望ましい。
その他の植物性香気成分としてローレルリーフ油、ヒノキ油、ペパーミント油、レモン油、ジンジャー油、望ましくは植物性抽出物の食品添加物が好ましく、これら香料を配合してなる着香剤である。
【発明を実施するための形態】
【０００４】  養殖用鮎の飼料は、主要成分として魚粉やオキアミミール等の動物性蛋白質及び小麦等の植物性蛋白質であり、その他ビタミン類やミネラル成分から組成させている。特に、鮎は幼魚期から成長するに従って、雑食性から草食性に移行するため、雑食性飼料では鮎特有の風味を保持する事は困難であったが、植物性着香剤により風味の改善が期待される。
【実施例１】
【０００５】  鮎用養殖飼料に添加する着香剤の組成
（成分）                      含有比率（％）
青葉アルコール                  ４５
ローレルリーフ油                １５
ヒノキ油                        １２
ジンジャー油                    １０
ペパーミント油                  １０
レモン油                          ８
【実施例２】
【０００６】    実施例１において調整した着香剤を市販の鮎用飼料に対して０．５％添加して着香剤添加飼料を調整した。一方、市販鮎用飼料のみを対照として、１匹３０ｇ前後の鮎を１群２０匹とし、魚体重がほぼ同重量になるように２群に分けて流水型水槽で２週間給与試験を行った。
投与は午前１０時及び午後４時の２回とし、１回の投与量はそれぞれ食性行動がとまるまでとした。
魚体重測定は給与試験前および給与試験終了の翌日の２回とした。体重測定に際しては炭酸ガスで麻酔して群として測定した。測定後は直ちに水槽に戻した。
１週間給与試験の結果は、魚体重は対照群の平均魚体重は９０．８ｇに対して試験群の平均魚体重は９６．５ｇであり、試験群である着香剤添加群は６．３％の増体重が認められた。
【実施例３】
【０００７】実施例２で実施した対照群と着香剤添加群の給与試験終了後に、それぞれの鮎を塩焼きにして、１０名のパネラーのよる比較試食試験を行った結果、着香剤添加群は対照群に比べ香りおよび食味共に優れて向上した。
(57)【要約】【課題】  いままでの軟質プラスチック製ソフトワーム（ソフトベイト）は安価であるが、耐久性にとぼしい。そして、一般的な、それ自身に重りや内部に複雑な構造を持った硬質プラスチック製ルアーはソフトベイトにくらべて耐久性はあるが高価である。本発明は、安価で耐久性のある釣り用ルアーを目的とする。【解決手段】  本発明は耐久性にとぼしい軟質性プラスチックに換わって、ジグヘッドと耐久性のある硬質性プラスチックを使用し、かつ、複雑な構造をもたない設計により低価格な釣り用ルアーを実現する。【選択図】図１
2012080861.tif 000002
【特許請求の範囲】
【請求項１】
ジグヘッドと硬質プラスチックを成形及び加工した釣り用ルアー。
【請求項２】
ジグヘッドと硬質プラスチック部を着脱可能とした請求項１のジグヘッド。
【請求項３】
ジグヘッドと硬質プラスチック部を着脱可能とした請求項１のハードワーム（ハードベイト）。
【請求項４】
ジグヘッドを使用するハードワーム（ハードベイト）本体に釣り針を装着した釣り用ルアー。
【発明の詳細な説明】
【技術分野】
【０００１】  この発明は、ジグヘッドとハードワーム（ハードベイト）を使用した釣り用ルアーに関するするものである。
【背景技術】
【０００２】  釣り用の疑似餌（以下ルアーと表記）において、様々な形態や素材が開発されてきた。それはまさに、いかに魚がルアーを本物の餌と誤認させて食い付かせられるかの研究開発だった。その一つに硬質素材で出来た、餌となる魚の泳ぎかたに近付けるべく内部や外部に複雑な構造をもったルアーがある。【０００３】  一方、ルアーは消耗品なので安価であることが釣り人にとっては望ましい。
その一つに、ジグヘッドと軟質素材で出来たルアーがある。
ジグヘッドとは金属で出来た針付きの重りのことで、重りや釣り針の装着がそれ自身では困難な軟質素材で出来たソフトワーム（ソフトベイト）にジグヘッドを装着することにより、一体となったルアーを目的のポイントまで投入、及び、沈めることができる。
【発明の概要】
【発明が解決しようとする課題】
【０００４】  軟質性プラスチックであるソフトワームは耐久性に問題がある。
ジグヘッドを使用しない硬質プラスチックのルアーは構造が複雑で高価である。
軟質性プラスチックであるソフトワームには特性上、直接、釣り針を取り付けることができない
【課題を解決するための手段】
【０００５】  釣り用ルアーのプラスチック素材を大きく二つに分けると、硬質プラスチックと軟質性プラスチックに分けられる。
いままでの釣り用ルアー製品は、耐久性はあるが構造が複雑でそのために高価な硬質プラスチック製ルアー（木製を含む）と、耐久性はないが構造や製造が簡単で安価な軟質性プラスチック製品がほとんどである。
本発明は耐久性と低価格を兼ね備えた釣り用ルアーを提供する。［図１］【０００６】  従来の軟質性プラスチックで製造したソフトワーム（ソフトベイト）などでは、魚が食いついた時に簡単にくいちぎられたり、釣り針をソフトワームに取り付ける際やジグヘッドに取り付ける時の損傷により数回の魚を釣りあげると使用不能になる。【０００７】  硬質プラスチックで製造した、ジグヘッドを使用しないルアーでは、内部に重りや浮力を持たせるための複雑な構造が必要になってくる。
そのために、内部に複雑な構造を持たないソフトワームにくらべて高価になる。【０００８】  一方、硬質プラスチックで製造するハードワーム（ハードベイト）では、軟質性プラスチックで製造されたソフトワームと同等の簡単な構造なので、低コストで製造することができる。【０００９】  製造方法の一例として、硬質プラスチックのＡＢＳ樹脂を使用し、射出成形法により高熱のシリンダーによって溶かされたプラスチックの原料を金型に流し込み、冷却することでプラスチックが固められた成形品（ハードベイト）が完成する。（符号２）【００１０】  また、ハードワームでは硬質プラスチック（強度のある金属や木材でもよい）で製造しているためソフトワーム（ソフトベイト）に比べて強度がある。
そのためソフトワームでは不可能であるワーム本体に釣り針を装着することが可能になる。［図１］４
これにより、ソフトワームでは難しかった最後部への釣り針の装着が可能になり釣果が向上する。［図２］２−ｂ【００１１】  ジグヘッドの製造は鋳造金型に、ジグヘッドオスネジ部［図３］１−ｂとライン結束用アイ［図３］１−ａを結合させた金具を設置し、鉛などの比重の大きい金属で鋳造作成する。［図３］【００１２】  ジグヘッドとハードワームは、それぞれ単体では釣り用ルアーとしては用をなさないので必ず、ジグヘッドとハードワーム一体の使用が求められる。［図１］
しかし、常に一体化した上記ルアーを使用するよりも、ジグヘッドとハードワームは取り外し交換が自由なように、脱着構造（［請求項２］と［請求項３］）を用いると釣りの状況に応じて、ジグヘッドとハードワームのサイズや色、及び形が自由に選択使用できる。もちろん、ジグヘッドとハードワームを最初から固着一体化した製品も可能である。【００１３】  いままでのソフトワームでは、軟質性プラスチックで製造されているので、ジグヘッドに刺すだけでよかったが、硬質プラスチック製のハードワーム（ハードベイト）ではなんらかの強固な結合方法が必要になる。［図１］３［図４］３【００１４】  その一例として、ネジ式を図２と図３に示す。
ジグヘッド側にオスネジ部［図３］１−ｂを作成し、ハードワーム部にメスネジ部［図２］２−ａを作成する。これにより、簡単で確実な結合が可能となる。
結合方法はネジ式に限らず、簡単で確実な結合方法は［請求項２］と［請求項３］の対象となる。
【発明の効果】
【００１５】  本発明は、低価格で耐久性のあるルアーを提供するとともに、ジグヘッドとハードワーム（ハードベイト）を釣りの状況に応じて、適宜交換することができる。【００１６】  また、ハードワーム（ハードベイト）では、最後部に釣り針を装着できるため釣果の向上も期待できる。
【図面の簡単な説明】
【００１７】
【図１】  本発明の側面図である。
【図２】  ハードワーム（ハードベイト）の側断面図である。
【図３】  ジグヘッドの側面図である。
【図４】  本発明の上面図である。
【発明を実施するための形態】
【００１８】  以下、本発明を実施するための形態を図１〜図４で説明する。
【００１９】  図においては、１はジグヘッドで２のハードワーム（ハードベイト）と着脱可能とする。
【００２０】  ２は、ハードワーム（ハードベイト）で硬質素材で製作する。
【００２１】  また、ジグヘッド１とハードワーム（ハードベイト）２を着脱可能３とする。
【００２２】  ４は、ソフトワーム（ソフトベイト）では不可能だった、後部に釣り針を装着する。
【符号の説明】
【００２３】（１）はジグヘッド
（２）はハードワーム（ハードベイト）
（３）は結合部
（４）は後部釣り針取り付け用アイ
（２−ａ）はハードワームメスネジ部
（２−ｂ）は後部釣り針
（１−ａ）はライン結束用アイ
（１−ｂ）はジグヘッドオスネジ部
（１−ｃ）はジグヘッド部釣り針
【図１】
2012080861.tif 000003
【図２】
2012080861.tif 000004
【図３】
2012080861.tif 000005
【図４】
2012080861.tif 000006
(57)【要約】      （修正有）【課題】素人が修行することなく、ネタとシャリが密着したまま本格的な江戸前寿司を握れるすし握り器を提供する。【解決手段】Ｌ字状に曲がった板状の台座１に、楕円形のへこみのある型２を設け、型２に沿って台座１に蝶番でおさえ３を設け、おさえ３には蝶番でおさえ４、５を設け、台座１の上部に蝶番で、楕円形でへこみのある型６を設け、型６と同じ蝶番に型６に重ねて型７を設けたすし握り器を特徴とする。【選択図】図１
2012080855.tif 000002
【特許請求の範囲】
【請求項１】
台座（１）に、型（２）を設け、型（２）に沿って台座（１）に蝶番でおさえ（３）を設け、おさえ（３）には蝶番でおさえ（４）、（５）を設け、台座（１）の上部に蝶番で、型（６）、型（７）を設けたすし握り器。
【発明の詳細な説明】
【技術分野】
【０００１】  この発明は、すし握り器に関するものである。
【背景技術】
【０００２】    江戸前ずしというのは、素人が握るには難しく、通常、何年かの修行を経て握ることが可能なくらい大変な熟練を要する料理である。そのため従来、すしロボットやすし型などシャリ球を簡単に作るための発明がされてきた。
【先行技術文献】
【０００３】
【非特許文献１】  特開２００２−３６９６６０
【発明の概要】
【発明が解決しようとする課題】
【０００４】  （イ）すし飯は非常にべたつくので、すし職人がすしを握る際には、少量の手酢を両手の手のひらに回し、手の温度を下げて飯粒が手につかないようにしながらすばやく握る。しかしそれは素人には難しく、結局、素人がやると手についた飯粒のために料理ができなくなる。
（ロ）すし職人はすしの食感をよくするためにすし飯に空気を含ませながら握り、口の中で飯粒がほどけるように握る。これに対して従来の発明は、シャリ球を作るロボットや、前記の特開２００２−３６９６６０のように型で押してシャリ球を作るという発明がほとんどだった。この場合、一度握ったシャリ球の上にネタを載せもう一度握りなおすため、おにぎりのようになってしまい、堅すぎてプロの味とは程遠いものになる。
（ハ）江戸前ずしはネタとシャリが一緒に握られることで、程よくそれらが密着し全体の形がまとまり、職人が両手で上下左右に回転しながら手のひらと指でほぼ均一な美しい舟形に仕上げている。今までその技を素人が身につけることは困難だった。
そこで、本発明の解決しようとする課題は、誰もが修行や訓練をしなくとも手にすし飯がべたつくことなく、職人の握ったような空気を含んでふんわりとしたシャリで、ネタとシャリが密着したまま美しい舟形に江戸前ずしを握れるすし握り器を開発することである。
【課題を解決するための手段】
【０００５】  手のひらに載る大きさのＬ字状に曲がった板状の台座（１）に、楕円形のすり鉢状にへこみのある型（２）を設け、型（２）に沿って台座（１）に蝶番で取り付けられたすしの左右を固めるためのおさえ（３）を設ける。おさえ（３）にはまた、蝶番ですしの前後を固めるためのおさえ（４）、（５）を設ける。台座（１）の上部にはバネ付の蝶番で、すしの上下を固める型（６）を設ける。また、型（６）より一回り大きな楕円形で、中央に楕円形の穴が開いた型（７）を型（６）に重なるように型（６）と同じ蝶番に設ける。
本発明は、以上のような構成よりなるすし握り器である。
【発明の効果】
【０００６】  すし職人が行う、手の平の上で、ネタを置き、わさびをつけて。その上にシャリを載せて一緒に握るという行程に似ていながら、シャリに直接手で触れることが無いため、手にすし飯の飯粒がつかず快適にすしを握ることができる。  また、左右前後のおさえ（３）、（４）、（５）と上下の型（６）、（７）と型（２）ですしを包むように握るので、すしの表面は固まるが、シャリの中は空気を含んでいる。さらに、ネタとシャリが密着したまま握られるので握りなおす必要が無く口の中で飯粒がほどけるような食感になる。また、同じ型で形を整えるので、均一な美しい舟形の江戸前ずしに仕上がる。
【図面の簡単な説明】
【０００７】
【図１】  本発明の斜視図である。
【図２】  本発明の正面図である。
【図３】  本発明の左側面図である。
【発明を実施するための形態】
【０００８】  以下、本発明を実施するための形態について説明する。
手のひらに載る大きさのＬ字状に曲がった板状の台座（１）に、楕円形のすり鉢状にへこみのある型（２）を設け、型（２）に沿って台座（１）に蝶番で取り付けられたすしの左右を固めるための板状のおさえ（３）を設ける。おさえ（３）にはまた、蝶番ですしの前後を固めるための筒を半分に割ったようなアールのあるおさえ（４）、（５）をもうける。台座（１）の上部にはバネ付の蝶番で、すしの上下を固めるための楕円形でへこみのある蓋状の型（６）を設ける。また、型（６）より一回り大きな楕円形でへこみがあり、中央に楕円形の穴が開いた型（７）を型（６）と同じ蝶番に型（６）に重なる形で設ける。
本発明は以上のような構造である。
これを使用するときは、おさえ（３）、（４）、（５）と型（６）、（７）の全てが開いた状態で左手の上に載せ、型（２）の上に縦にネタを置く。ネタの中ほどにわさびを右手で塗り、その上に器量スプーン等で一定に量ったすし飯を載せる。左手の親指と中指で台座（１）をはさむようにしておさえ（３）を起こし、おさえ（４）とおさえ（５）を右手の親指と中指で挟むようにしてすしの前後を固めながら左手の親指で型（６）と型（２）との間ですしをはさむようにして下方におさえながら固める。その後、本体を右に傾けながら右手でおさえ（４）、（５）をすしからはずし、本体を起こすと同時に左手で台座（１）とおさえ（３）で型（２）をはさむようにして固めながら、今度は右手の人差し指で型（７）と（６）をいっしょに下方に押し下げて、すしを軽く型（２）に押し込む。最後におさえ（３）と型（６）、（７）を開くことで、型（２）の上にネタが下になった逆さの状態の握りずしができる。右手ですしを取り出しながらすしの上下をひっくり返して盛り付ける。
【符号の説明】
【０００９】１    台座
２    楕円ですり鉢状の型
３    すしの左右を固めるおさえ
４    すしの前後を固めるおさえ
５    すしの前後を固めるおさえ
６    すしの上下を固める型
７    すしの上下を固める型
【図１】
2012080855.tif 000003
【図２】
2012080855.tif 000004
【図３】
2012080855.tif 000005
(57)【要約】【課題】喫いかけのたばこは、一旦火を消し、再度喫煙しようとする喫い口は灰がら等の汚れの為、喫煙は不可能であった。  本発明は喫いかけのたばこを消火、保存、保管を可能にする喫いかけたばこホルダーを提供する。【解決手段】外ケースと灰がらケースを設け、灰がらケースと結合された摘みを設け、摘みガイドを設け、外ケース上部に開閉蓋を設けたことを特徴とする喫いかけたばこホルダー。【選択図】図３
2012080859.tif 000002
【特許請求の範囲】
【請求項１】
外ケースの中に灰がらケースを設け、灰がらケースの長さは外ケースの半分位とし、灰がらケースに摘みを設け、摘みは摘み用ガイドの細長い割れ目から外に出ていて灰がらケースに結合されており、灰がらケースの先端は少し狭められた形に形成し、摘み用ガイドは外ケースの上端よりも少し手前まで設けて、短い喫いかけのたばこを取り出し易い構造にし、外ケースの上部には一端を固定した開閉式の蓋を設けたことを特徴とする喫いかけたばこホルダー。
【発明の詳細な説明】
【技術分野】
【０００１】  本発明は、喫いかけのたばこの保管用具に関するものである。
【背景技術】
【０００２】  従来のたばこは喫煙後、灰皿等で消火し処分するのが一般的である。例えば、灰皿と喫いかけのたばこを一時的に置くたばこ挿入孔を持った携帯用灰皿（特許公開２００７−２８９１６５）や、たばこケースの中に喫煙中の火の点いたたばこを受けとめておくための２本のパイプを設けたたばこケース（特許公開平８−２２８７５０）なども知られている。
【先行技術文献】
【０００３】
【特許文献１】特許公開２００７−２８１９６５
【特許文献２】特許公開平８−２２８７５０
【発明の概要】
【発明が解決しようとする課題】
【０００４】  従来たばこは喫煙途中でもやむなく消火し処分するのが一般的で、喫煙者にとって携帯用灰皿に火の点いたたばこを一時的に挿入孔に保管するとしても、一旦消したら最終的な灰がらとして処分する他なかった。また、たばこケースの中に一時的に喫煙途中のたばこを挟み置く構造を設けたものも、一旦消したら最終的な灰がらとして処分する他ないという点では同じであり、喫いかけを再度取り出して火を点けて喫うという目的には合わない。
【課題を解決するための手段】
【０００５】  外ケースの中に灰がらケースを設け、灰がらケースの長さは外ケースの半分位とする。灰がらケースに摘みを設け、摘みは摘み用ガイドの細長い割れ目から外に出ていて灰がらケースに結合されている。灰がらケースの先端は少し狭められた形に形成する。摘み用ガイドは外ケースの上端よりも少し手前まで設けて、短い喫いかけのたばこを取り出し易い構造にする。外ケースの上部には一端を固定した開閉式の蓋を設ける。
以上の構成よりなるたばこホルダーである。
【発明の効果】
【０００６】  本発明により喫煙途中でもやむなく消火し処分するのが一般的で、喫煙者にとって火の点いたたばこを一時的に挿入孔に保管するとしても処分する他なかったものや、一時的に喫煙途中のたばこを挟み置く構造を設けたものも一旦火を消したら最終的な灰がらとして処分する他なく、再度取り出して火をつけて喫うという目的には至らなかったが、この発明により、喫いかけのたばこを随時消火し、保管し再び取り出して喫うことが可能になり従来の問題が解決されたのである。
【図面の簡単な説明】
【０００７】
【図１】本発明の斜視図
【図２】本発明の断面図
【図３】本発明の実施例を示す斜視図
【発明を実施するための形態】
【０００８】  以下、本発明の実施の形態を説明する。
（イ）外ケース（１）を設ける。
（ロ）灰がらケース（２）は外ケース（１）の内部に外ケースの半分位の長さに設ける。
（ハ）摘み（３）は灰がらケース（２）と結合された形で設ける。
（ニ）外ケース（１）に細長い割れ目を設けて摘み用ガイド（４）とし、割れ目の長さは外ケース（１）の長さを大体５等分して、中間の３個分の位置に設ける。
（ホ）蓋（５）は一端を固定した開閉式に設ける。
本発明は以上のような構造である。
本発明を使用するときは、蓋（５）を開け、摘み（３）を摘みガイド（４）の中でスライドさせて灰がらケース（２）を上に上げ、灰がらケース（２）に保管してあった喫いかけたばこを取り出して、火を点けて喫う。逆に、喫っている途中で止めて、あとで喫い直したい時は、外ケース（１）にポンと挿し込めれば、火の点いたたばこの先端が、灰がらケースの先端まで落ちると、灰がらケースの先端が少し狭まっているので、空気も少なく、蓋（５）を閉めれば火はすぐ消える。
【符号の説明】
【０００９】  １外ケース、２灰がらケース、３摘み、４摘み用ガイド、５蓋、６たばこ
【図１】
2012080859.tif 000003
【図２】
2012080859.tif 000004
【図３】
2012080859.tif 000005
(57)【要約】【課題】おき型の昆虫用エサ皿付きのぼり木では、カブトムシなどの力の強い昆虫の飼育に使用した場合、エサがエサ皿付きのぼり木ごとひっくり返されエサが汚れたり、こぼれるなどした。デザインも飼育ケース内の場所をとるものが多く昆虫の成育空間が狭くなり小型の飼育ケースには、適していなかった。  本発明は、飼育ケースに固定できる場所をとらない小型の飼育ケースにも適した昆虫用エサ皿付きのぼり木を提供する。【解決の手段】のぼり木をアーチ型にした飼育ケースの生育空間を広く使える飼育ケースの側面や底面に粘着テープで固定することを特徴とする昆虫用エサ皿付きのぼり木。【選択図】図２
2012080860.tif 000002
【特許請求の範囲】
【請求項１】
多数穴の開いたアーチ型の、のぼり木にカップ型のエサ入れを設け、飼育ケースに固定して使用することを特徴とする昆虫用エサ皿付きのぼり木。
【発明の詳細な説明】
【技術分野】
【０００１】  この発明は、昆虫用エサ皿付きのぼり木を飼育ケースに粘着テープなどで固定する、固定式昆虫用エサ皿付きのぼり木に関するものである。
【背景技術】
【０００２】  従来の昆虫用エサ皿付きのぼり木は、おき型のもので飼育ケースに固定できるタイプのものはなかった。
【発明の概要】
【発明が解決すようとする課題】
【０００３】  従来のおき型の昆虫用のエサ皿付きのぼり木では、カブトムシなど力の強い昆虫の飼育に使用した場合、エサがエサ皿付きのぼり木ごとひっくり返されエサが汚れたり、こぼれるなどしていた。
従来のおき型の昆虫用のエサ皿付きのぼり木は、木の枝を使ったり切り株のかたちをデザインしたものなど飼育ケース内の場所を多くとるものが多く昆虫の成育空間が狭くなり小型の飼育ケースには、適していなかった。
本製品は、以上の問題を解決するためになされたものである。
【課題を解決するための手段】
【０００４】従来の昆虫用エサ皿付きのぼり木を飼育ケースの底面に粘着テープで固定したところ飼育ケース内での昆虫の生育空間が狭くなったため、アーチ型の平板のぼり木にカップ型のエサ皿を設け、両端を粘着テープで飼育ケースの底面に固定させた。
昆虫が登りやすいように、穴の開いたネット状のものにした。
【発明の効果】
【０００５】のぼり木を固定することにより、エサがこぼれたり、汚れることがなくエサの無駄がなくなった。
のぼり木をアーチ型にしたことにより飼育ケースの昆虫の成育空間を広くとれるようになり、生育空間を有効に使い、さまざまなレイアウト（配列・配置）を工夫できるようになった。
のぼり木をネット状にしたことのより昆虫が登りやすく、エサを食べる時にも、しっかりと体を安定させてエサを食べれるようになった。
【図面の簡単な説明】
【０００６】
【図１】本発明の斜視図
【図２】本発明の使用状態を示す斜視図
【発明を実施するため形態】
【０００７】以下、本発明を実施するための最良の形態について説明する。
【実施例１】
【０００８】本発明の実施例を図１〜図２に基づいて説明する。【０００９】１は、多数の穴２の開いた平板１に穴３を開けカップ型のエサ皿４を設けた固定式昆虫用エサ皿付きのぼり木である。【００１０】図２は、本発明を飼育ケースＡに粘着テープ５で固定した実施例である。【００１１】以上本発明の実施例について説明したが、本発明はこのような実施例に何等限定されるものでなく、本発明の要旨を逸脱しない範囲において種々なる態様で実施し得ることはもちろんである。
【産業上の利用可能性】
【００１２】本発明を飼育ケースに固定する際は、粘着テープ意外、何でも可。
本発明の長さを調節することにより飼育ケースの側面にも固定できる。
ペットにも使用できる。
【符号の説明】
【００１３】１    平板
２    穴
３    穴
４    エサ皿
５    粘着テープ
Ａ    飼育ケース
【図１】
2012080860.tif 000003
【図２】
2012080860.tif 000004
(57)【要約】      （修正有）【課題】重力を利用した、原動装置を提供する。【解決手段】てこの原理と磁石５、６を使用して、重力から回転力を得る如くした、原動装置。【選択図】図１
2012080754.tif 000002
【特許請求の範囲】
【請求項１】
第１図、第２図に例示する如く、左右に自由に位働出来るおもりと磁石を備へた支桿装置と、半円、半だ円、若しくはおもり兼磁石が回転板中心軸により近くなる如くした変形の外側板と、おもり兼磁石を押上げる側板上の磁石を装置した原動装置。
【発明の詳細な説明】
【技術分野】
【０００１】本発明は重力を利用した原動装置に関するものである。
【背景技術】
【０００２】従来の動力はすべて、一部を除いては燃料等が必要であった
【発明の開示】
【発明の解決しようとする課題】
【０００３】てこの原理と磁石を応用して燃料を使用せず、起動力を発生させる如くした事を目的として居る。
【課題を解決するための手段】
【０００４】上記の目的を達成するために、回転子が回転する際に磁石の力を借りて回転子のおもりを上部に押上げ、回転子中心軸からの左右の距離差をちがへて、てこの原理を応用して起動力を得る如くしたものである。
【発明の効果】
【０００５】重力を利用して回転を得ようとする場合、其の回転軸からのおもりの距離を変化させないと回転しないので、磁石の力を借りて片方の回転子のおもりを上部に押上げ、軸からの左右の距離に差を作り回転する様にする。
【発明を実施するための最良の形態】
【０００６】第１図参照、今４本の回転子のおもり兼磁石の位置は、（２）の回転子の中心軸の左側より右側の方が何れも長くなって居るので、てこの原理で右回転する事になり、回転の経果を説明すると、今（４）の回転子板のおもり兼磁石の位置が垂直の場合、中心軸より下方の方が下まで下って居る、そして外板の内側の左側に同極の磁石が付いて居るので、（４）の支桿は反発力で上に押上げられて居りその重さは軽くなり、そして（４）の支桿が水平桿右回転すると、磁石の反発力の方が勝って来るのでおもり兼磁石は押されて右側の方に位動し、更に左右の位置の差が大きくなり右回転は強くなる、これは外板が右半円で左半円が隋円になって居るからだが、更に隋円を中心軸近くなる様にすれば効卒は更によくなる。要するに回転子を回転させるには、磁石の力でおもりを上方に押上げおもりを軸の右側に位動させて、左右のおもりの重さの差を利用して回転する様にしたものである。
【図面の簡単な説明】
【０００７】
【図１】本発明の正面図
【図２】本発明の側面図
【符号の説明】
【０００８】１  側板２  回転子板の中心軸３  回転子のおもり兼磁石４  回転子支桿回転板５  支桿の位置が自由に位動出来る穴付き円筒６  回転子磁石を押上げる為の磁石
【図１】
2012080754.tif 000003
【図２】
2012080754.tif 000004
【手続補正書】
【提出日】平成22年11月19日(2010.11.19)
【手続補正１】
【補正対象書類名】明細書
【補正対象項目名】０００６
【補正方法】変更
【補正の内容】
【０００６】第１図、第２図参照、今４本の回転子のおもり兼磁石の位置は、（２）の回転子の中心軸の左側より右側の方が何れも長くなって居るので、てこの原理で右回転する事になり、回転の経果を説明すると、今（４）の回転子板のおもり兼磁石の位置が図面で垂直の場合、中心軸より下方の方が下まで下って居る、そして外板の内側の左側に同極の磁石が付いて居るので、（４）の磁石の付いて居る支捍磁石は反発力で上に押上げられて居り、重さは軽くなり、そして（４）の支捍が水平まで回転すると、磁石の反発力の方が勝って来るので、おもり兼磁石は押されて右側の方に移動し、更に左右の位置の差が大きくなり右回転力は強まる、これは外板が右半円で左半分が隋円になって居るからだが、更に隋円を中心軸近くになる様にしたり、（６）の界磁石と（３）の回転磁石との間隔を一定の距離に保つ様にすれば、回転による磁気抵杭は最少限に止める事が出来る、要するに回転子を回転させるには磁石の力で、おもりを上方に押上げたり、中心軸の右側に作動させて軸の左右の重さの差を利用して回転させる様にしたものである。
更に（５）の穴付き円筒と、（３）のおもり捍との抵杭が心配された時は、此れをハゼ型ピストンに変へて、回転抵杭を少なくする事も考へられる。
(57)【要約】【課題】  自転車の発電ランプと同様な変圧器形発電機において逆起電力を利用。【解決手段】  変圧器形発電機において電機子も固定し、従来の固定子と向かい合わせ、間に磁気を遮断と照射し、回転する磁気遮断の円筒を設け、この構成を二重にして位相が互いに逆のため磁気遮断の円筒に発生する渦電流等軽負荷で駆動する。【選択図】図１
2012080751.tif 000002
【特許請求の範囲】
【請求項１】
変圧器形発電機において固定された磁極と電機子の間に磁気遮断装置を交互に設けることを特徴とする新型発電機。
【発明の詳細な説明】
【技術分野】
【０００１】  発電機の逆起電力に関する。
【発明の開示】
【発明が解決しようとする課題】
【０００２】  変圧器形発電機の逆起電力に対応した発電手段。
【課題を解決するための手段】
【０００３】  自転車の発電ランプと同様な変圧器形発電機の逆起電力の相殺による発電駆動力を小さくする。
【発明の効果】
【０００４】  以下、本発明の実施の形態を図１の側面図、図２の平面図、図３の磁気遮断筒に基づいて説明する。通常変圧器形発電機は磁気受極６を固定子、磁石７を電機子として回転軸１で図示されていない回転させている。
この場合、磁石７を磁気受極６に近づけると磁気受極６の発電コイル巻付部１２に図示されていない発電コイルに逆起電力が発生、磁気が増えるとにより磁気受極６に磁石７と同極の磁気が発生して反発、また遠ざけると磁気受極６に磁石７と異極の磁気が発生して引き付けられ発電電力に比例した動力で回転軸１を駆動させる。【０００５】  新型発電機は電機子であるＮ，Ｓ極に対応した磁石７も発電機ケース５に固定、磁気受極６の間に回転軸１に固着された鉄製の磁気遮断装置である磁気遮断筒４を設け磁気照射窓１３から磁気受極６に間欠に磁気を照射。磁気照射窓１３の回転で磁気受極６に磁気が増え、次に磁気が削除され、これに比例した逆起電力が発生、磁気遮断筒４の磁気照射窓１３の枠を引き寄せる。この装置を二重に設け、磁気照射窓１３を９０度離れて設けることから磁気照射開始時点で磁気受極６には向かい合う磁石７と同じ逆起電力が発生、磁気照射窓１３の枠を引き寄せ、磁気遮断筒４の回転方向とは逆方向に引っ張り、もう一方は磁気照射削除開始で磁気受極６には向かい合う磁石７と逆の逆起電力が発生、磁気照射窓１３の枠を引き寄せ磁気遮断筒４の回転方向に引き寄せることから互いに相殺される。【０００６】  この新型発電機は２個の構成で互いに逆の作用を行うため発生電流も互いに正反対の特性で直列、並列に接続すると電流は打ち消されるため整流して直流として用いる。
また、変圧器形発電機のため磁石７は電磁石でも同じであり、電磁石の場合は磁気受極６の残留磁気対策も容易であり、また発電性能を良くするため磁気遮断筒４を可能な限り薄く、磁気受極６と磁石７のテーパーした隙間を小さくし、磁石７及び磁気受極６を薄く大径にする程、また磁石７と磁気受極６を入れ替え、外径側を磁石にする等から発電効率は良くなる。
【産業上の利用可能性】
【０００７】  新型発電機の駆動は薄い磁気遮断筒４から漏れる磁気、及び磁気遮断筒４に発生する渦電流に対抗する僅かな回転力で回転する軽負荷駆動の発電機を提供する。
【図面の簡単な説明】
【０００８】
【図１】  新型発電機の側面図
【図２】  新型発電機の平面図
【図３】  新型発電機の磁気遮断筒図
【符号の説明】
【０００９】  １  回転軸
２、３  軸受
４  磁気遮断筒
５  発電機ケース
６  磁気受極
７  磁石
８  磁気固定ボス
９  磁石固定板
１０  磁石支持材
１１  回転軸空洞
１２  発電コイル巻付部
１３  磁気照射窓
【図１】
2012080751.tif 000003
【図２】
2012080751.tif 000004
【図３】
2012080751.tif 000005